(57)【要約】【課題】特に撮像面近傍に発生要因の一部がある撮像面ゴーストを的確に検出することを可能にしたゴースト検出装置及びそれを有する撮像装置を提供すること。【解決手段】撮像光学系によって形成される像を受光する光電変換素子が配列された撮像面と、前記撮像面を保持し、撮像光学系の光軸との角度を変えられる保持部材と、前記保持部材を駆動させる駆動装置を有し、前記撮像面が光軸に対して異なる角度で保持された状態で得られた第１及び第２の撮影画像の差分からゴーストを検出することを特徴とする。【選択図】図１
2018196068.tif 000002
【特許請求の範囲】
【請求項１】
撮像光学系によって形成される像を受光する光電変換素子が配列された撮像面と、前記撮像面を保持し、撮像光学系の光軸との角度を変えられる保持部材と、前記保持部材を駆動させる駆動装置を有し、前記撮像面が光軸に対して異なる角度で保持された状態で得られた第１及び第２の撮影画像の差分からゴーストを検出することを特徴とするゴースト検出装置。
【請求項２】
前記第１及び第２の画像の画素毎の輝度をそれぞれｇ１（ｘ，ｙ）、ｇ２（ｘ，ｙ）とし、前記第１の画像と第２の画像を得る際の撮像面の傾き変化に伴う撮像面自体の移動量をΔｘ，Δｙとした時に、ｇ１（ｘ，ｙ）とｇ２（ｘ−Δｘ、ｙ−Δｙ）の差分からゴーストを検出することを特徴とする請求項１に記載のゴースト検出装置。
なおここでｘ、ｙは撮像面内の原点を基準とする座標を表す。
【請求項３】
前記第１及び第２の画像の輝度ｇ１（ｘ，ｙ）とｇ２（ｘ−Δｘ、ｙ−Δｙ）に対して、
０．０５＜｛ｇ１（ｘ，ｙ）−ｇ２（ｘ−Δｘ、ｙ−Δｙ）｝／ｇ１（ｘ，ｙ）
なる条件を満足する撮像面上の座標（ｘｉ，ｙｉ）にゴーストが存在すると検出することを特徴とする請求項１又は請求項２に記載のゴースト検出装置。
【請求項４】
前記検出したゴーストの第１の画像の座標（ｘｉ，ｙｉ）と光軸に対して対称位置の座標（ｘｊ，ｙｊ）の輝度をｇ１（ｘｊ，ｙｊ）とした時に
−０．２＜｛ｇ１（ｘｊ，ｙｊ）−ｇ１（ｘｉ，ｙｉ）｝／ｇ１（ｘ，ｙ）
なる条件を満足する座標がない場合、検出したゴーストから除外することを特徴とする請求項１乃至請求項３の何れか一項に記載のゴースト検出装置。
ただし、ここでｘｊとｙｊは
０．９０＜ｘｊ／ｙｊ×ｙｉ／ｘｉ＜１．１０
なる関係を満足し、ｘｊは０から撮像面の端部座標まで変化する。
【請求項５】
前記第１の画像において検出したゴーストが存在する画素と隣り合う画素の座標及び輝度をそれぞれ（ｘｉ，ｙｉ）、（ｘｋ，ｙｋ）及びｇ１（ｘｉ，ｙｉ）、ｇ１（ｘｋ，ｙｋ）とした時に、
｜｛ｇ１（ｘｉ，ｙｉ）−ｇ１（ｘｋ，ｙｋ）｝｜／｛ｇ１（ｘｉ，ｙｉ）＜０．２０
なる条件を満足する場合、隣り合う画素にもゴーストが存在すると検出することを特徴とする請求項１乃至請求項４の何れか一項に記載のゴースト検出装置。
【請求項６】
請求項５に記載のゴースト検出装置と前記検出したゴーストを第１の画像から除去することを特徴とする撮像装置。
【請求項７】
前記第１の画像のゴーストが存在する座標の輝度を第２の画像の輝度に置き換えてゴーストを除去することを特徴とする請求項６に記載の撮像装置。
【請求項８】
前記第１及び第２の画像のゴーストが存在する座標の輝度の差分と、ゴーストが存在しない座標の輝度の差分の差分を第１の画像の輝度から引くことでゴーストを除去することを特徴とする請求項６又は請求項７に記載の撮像装置。
【発明の詳細な説明】
【技術分野】
【０００１】
本発明は、撮像装置におけるゴーストを検出するための方法及び装置に関し、例えばデジタルスチルカメラ、デジタルビデオカメラ、ＴＶカメラ、監視カメラ等の撮像装置に好適なものである。
【背景技術】
【０００２】
従来、撮像装置に用いられる撮像光学系には撮影光束を撮像面に結像させるために、複数枚のレンズが配置されており、各レンズは光を透過させると同時に０．１〜数％程度の光を反射させるため、ゴーストの発生原因ともなっていた。また撮像装置自体にも像面近傍には撮像素子、ローパスフィルター、赤外カットフィルター等の光学部材が配置されており、その表面でレンズと同様に光を反射しゴーストの発生原因ともなっていた。また、レンズ鏡筒の内壁による反射もゴーストの発生要因となっていた。これらのゴーストは撮影画像に対して不要なものであり、撮像装置としてはゴーストを低減もしくは除去することが望まれている。
【０００３】
従来これらのゴーストを検出し撮影画像から除去する方法としていくつかの方法が知られている。特許文献１では、ゴーストの発現状況が相互に異なる２つの撮像光学系から得られた画像からゴーストを検出し除去している。特許文献２では、撮像光学系に内包された開口絞りを駆動させ得られた２つの撮影画像からゴーストを検出し除去している。
【先行技術文献】
【特許文献】
【０００４】
【特許文献１】ＷＯ２０１１−１０８２０７号公報
【特許文献２】特開平１０−６２６６９号公報
【発明の概要】
【発明が解決しようとする課題】
【０００５】
撮影画像に発生するゴーストとして特に強度の強い物として、物体側から入射した光束が撮像素子に入射する直前に撮像面付近の撮像素子、各種フィルター等の表面で一度反射し、その後撮影光学系のレンズ表面で反射し撮像素子に入射する所謂撮像面ゴーストがある。通常撮影光学系のレンズ表面には反射防止膜が施されているため、発生するゴーストの強度をある程度弱めることができる。しかし撮像素子表面のマイクロレンズやローパスフィルター、赤外カットフィルターはその構造上十分な反射防止を施すのが困難である。
【０００６】
また特に、第２反射面となる撮影レンズ表面の形状が撮像面に向けて凹面を向けている場合、撮像面で反射し発散した光束が撮影レンズ表面で反射しまた収斂するため強度が上がりやすい。
【０００７】
上述の特許文献１に開示された従来技術では、ゴーストを検出するために２つの撮像光学系が必要であるため装置が大型化しやすいという課題があった。またそもそも２つの撮像光学系を用いたとしてもゴーストを正確に検出するのは困難であった。
【０００８】
特許文献２に開示された従来技術では、開口絞りの絞り値が異なる状態で得られた２つの撮影画像からゴーストを推定しているが、これも正確に検出するのは困難であった。また、前述の撮像面ゴーストが開口絞りよりも像側の面同士の反射で発生している場合ゴースト形状は変わらないため検出するのは困難であった。
【０００９】
そこで、本発明の目的は、特に撮像面近傍に発生要因の一部がある撮像面ゴーストを的確に検出することを可能にしたゴースト検出装置及びそれを有する撮像装置を提供することにある。
【課題を解決するための手段】
【００１０】
上記の目的を達成するために、本発明に係るゴースト検出装置は、
撮像光学系によって形成される像を受光する光電変換素子が配列された撮像面と、前記撮像面を保持し、撮像光学系の光軸との角度を変えられる保持部材と、前記保持部材を駆動させる駆動装置を有し、前記撮像面が光軸に対して異なる角度で保持された状態で得られた第１及び第２の撮影画像の差分からゴーストを検出することを特徴とする。
【発明の効果】
【００１１】
本発明によれば、特に撮像面近傍に発生要因の一部がある撮像面ゴーストを的確に検出することを可能にしたゴースト検出装置及びそれを有する撮像装置を提供することができる。
【図面の簡単な説明】
【００１２】
【図１】本発明の実施形態のゴースト検出装置の構成を模式的に示す図
【図２】本発明のゴースト検出方法を説明する図
【図３】本発明の実施例１のゴースト検出装置のフローを示すブロック図
【図４】本発明の実施例１のゴースト検出アルゴリズムを模式的に示す図
【図５】本発明の実施例１のゴースト検出アルゴリズムを模式的に示す図
【図６】本発明の実施例２の撮像装置のゴースト検出装置及び除去のフローを示す
【図７】本発明の実施例２のゴースト検出方法を模式的に示す図
【図８】本発明のゴースト検出方法を模式的に示す図
【図９】本発明のゴースト検出装置を備えた撮像装置
【発明を実施するための形態】
【００１３】
以下、本発明のゴースト検出装置及びそれを有する撮像装置について説明する。
【００１４】
本発明のゴースト検出装置は撮像光学系ＯＬによって形成される像を受光する光電変換素子が配列された撮像面ＩＰと、その撮像面を保持し、撮像光学系の光軸との角度を変えられる保持部材Ｈを有している。さらに保持部材Ｈを駆動させる駆動装置ＭＯを有している。
【００１５】
図１は本発明の実施例１のゴースト検出装置の構成を模式的に示す図である。
【００１６】
図１においてＯＬは撮影光学系、ＯＡは撮像光学系の光軸、ＩＰは撮像面を表し、ビデオカメラやデジタルカメラではＣＣＤセンサやＣＭＯＳセンサなどの固体撮像素子（光電変換素子）が配置されている。ＩＰｏは基準座標となる撮像面中心を表す。Ｈは撮像面を保持する保持部材を表し、ＭＯは保持部材の駆動装置を表す。図１の（Ａ）はそれぞれ本発明の実施例の第１画像及び第２画像を取得する際の撮影光学系及び撮像面の配置となっている。
【００１７】
図２は本発明によるゴースト検出方法を説明するための図である。
【００１８】
ｇ及びｇ’は第１及び第２画像取得時のゴースト像を表し、ｎ及びｎ’は同様に通常撮影光束による像を表す。ｘ，ｙは撮像面における座標を表す。さらにＬ１及びＬ１’、Ｌ２及びＬ２’は第１及び第２画像における、通常撮影光束の像ｎ及びゴースト像の撮像面中心座標ＩＰｏからの距離を表す。
【００１９】
図３は本発明の実施例１のゴースト検出装置における処理フローを説明したブロック図でありＳ１〜Ｓ５はそれぞれ処理ステップを表す。
【００２０】
図４は本発明の実施例１のゴースト検出装置におけるゴースト検出方法及びゴースト情報出力を説明する図である。図４（Ａ）（Ｂ）はそれぞれ第１画像及び第２画像の画素毎の輝度を表す。
【００２１】
図４において表の数字は画素毎の輝度を表す。ｆ１及びｆ２は第１画像においてゴーストが発生していた画素と第２画像においてそれに対応する画素を表し、ｆ１’は第１画像のゴースト像が第２画像で移動した画素を表す。Δｘ，Δｙは第１及び第２の撮映画像取得時の撮像面の移動量を表す。図４（Ｃ）は出力されるゴースト情報を表し、それぞれの画素毎のゴースト像の輝度情報を表す。図４（Ｃ）におけるｆｉは第１画像中でゴースト像が発生していた画素を表す。
【００２２】
図５は本発明の実施例１におけるゴースト検出装置におけるゴースト検出精度を高めるための処理アルゴリズムを表した図である。
【００２３】
Ｆ１はゴースト像が存在する画素を表し、Ｆ２はｇに対して光軸ＯＡと対称な位置に存在する画素の集合体を表す。
【００２４】
図６は本発明の実施例２のゴースト検出装置を有する撮像装置におけるゴースト除去フローを説明するブロック図である。
【００２５】
図７は本発明の実施例２のゴースト検出装置を有する撮像装置におけるゴースト検出方法及びゴースト除去画像出力を説明する図である。図７（Ａ）（Ｂ）（Ｃ）はそれぞれ第１及び第２画像、そしてゴースト除去画像の画素毎の輝度を表す。
【００２６】
ｎ及びｎ’は第１及び第２画像におけるゴースト像ｆ１及びｆ２に隣接する画素を表す。図７（Ｃ）におけるｆｒはゴースト像除去後の画素を表す。
【００２７】
図８は本発明の実施例２におけるゴースト検出装置を有する撮像装置においてゴースト検出精度を高めるための処理アルゴリズムを表した図である。
【００２８】
Ｆ１はゴースト像が存在する画素を表し、Ｆ３はそれに隣接する画素を表す。
【００２９】
図９は本発明のゴースト検出装置を備える撮像装置の要部概略図である。
【００３０】
本発明の各実施例のゴースト検出装置は撮影光学系ＯＬによって形成される像を受光する光電変換素子が配置された撮像面ＩＰと、その撮像面を保持し、撮像光学系の光軸との角度を変えられる保持部材Ｈを有している。さらに保持部材Ｈを駆動させる駆動装置ＭＯを有している。
【００３１】
各実施例のゴースト検出装置は保持部材Ｈを駆動装置ＭＯによって駆動させ、光軸に対する撮像面の角度を変える前後で第１の画像Ｐ１及び第２の画像Ｐ２を取得し、その画像Ｐ１とＰ２の画像を比較することによりゴーストを検出している。
【００３２】
この原理について説明する。物体側から撮影光学系に入射した光束が撮像面近傍の平板で反射し、さらに撮影光学系のレンズ面で反射し撮像面に入射する所謂撮像面ゴーストは前述のように強度が高くなることが多くゴーストの低減もしくは除去が望まれている。このゴーストは第１反射面が撮像面近傍にあるため、撮像面自体を傾けて撮影光学系との相対的な角度を変えてやればその発生位置が移動する。例えば図１のように撮像面で反射した光束が撮影光学系ＯＬの最も像側に配置されたレンズの第１面で反射するような撮像面ゴーストを考える。図１（Ａ）では撮像面中心ＩＰｏ近傍に発生していたゴーストが、図１（Ｂ）のように撮像面の傾くことによって、撮像面からの反射光束の角度が水平に近づき、結果的に撮像面中心ＩＰｏから離れた位置にゴースト像が発生する。
【００３３】
一方、撮像面自体が傾き、撮影光学系との相対的な位置関係が変わったことによって、撮影光束の結像位置も移動する。しかし、撮影光束の結像位置の移動量は撮像面の傾き変化によって幾何的に求められる量であるため、その結像位置の変化は傾き変化量から演算で求めることができる。
【００３４】
これらの関係を図２を用いて説明する。図２は撮像面を撮像面に垂直方向から見た図である。図２（Ａ）では撮像面中心ＩＰｏの左下の距離Ｌ２の位置にゴースト像ｇが発生している。また撮像面中心ＩＰｏの右上の距離Ｌ１の位置に撮影光束の結像点でもありゴースト光源の像でもあるｎがある。この状態が第１の画像Ｐ１の状態である。一方、図２（Ｂ）では撮像面中心ＩＰｏの左下の距離Ｌ２’及び右上Ｌ１’の位置にゴースト像ｇ’及び撮影光束像ｎ’が発生している。この状態が第１の画像Ｐ２の状態である。
【００３５】
ゴースト像ｇ及びｇ’は発生原因は変わっていないが、前述のように撮像面と光軸の傾きを変えることで位置が変化している。また撮影光束像ｎ及びｎ’も撮像面中心ＩＰｏに対して発生位置が変わっているが、それは撮像面自体の移動に伴う位置の変化によるものである。
【００３６】
この関係についてさらに説明する。撮像面と光軸との傾き変化に伴う撮像面自体の水平方向及び垂直方向の移動量をΔｘ、Δｙとする。なお、ここでΔｘ及びΔｙは撮像面に平行な座標上での移動量であり、撮像面と光軸との傾き変化をΔθｘ，ｙ、撮像面の回転中心と対応画素との距離をＤｘ，ｙとすると、
Δｘ，ｙ  ＝  Ｄｘ，ｙ×（１−ｃｏｓΔθｘ，ｙ）・・・（ａ）
なる関係で表される。ただし、添え字のｘ，ｙはそれぞれｘ方向、ｙ方向に対応した量である。Ｌ１とＬ１’の関係はΔｘ及びΔｙを用いて以下のように表される。
【００３７】
｜Ｌ１−Ｌ１’｜＝（Δｘ２＋Δｙ２）１／２・・・（ｂ）
このように、撮影光束像の撮像面自体の傾き変化に伴う撮像面中心ＩＰｏからの距離の変化量は幾何的に求めることができる。一方前述のようにゴースト像ｇは撮像面自体の傾きによって発生経路が変わるため、その発生位置の関係は（ｂ）式関係から大きく外れる。この関係を用いることで、撮像面ゴーストを精度良く検出することができる。
【００３８】
本発明のゴースト検出装置はこの関係に着目し、特に撮像面ゴーストを精度良く検出できる方法となっている。
【００３９】
本発明の実施例では撮像面と光軸角度を変えているが、撮像面近傍の面であれば撮像面に限らない。例えば、撮像面近傍に配置されているローパスフィルター、赤外カットフィルター等の表面でも撮像面と同様に反射光が発生し撮像面ゴーストの原因となっている。したがって、これら光学部材と光軸の角度を変えてやれば、前述のように撮像面を傾けた場合と同様の効果を得ることができる。さらに、撮像面と撮影光学系の相対関係を変えるという意味では例えば交換レンズではレンズとカメラが接続するマウントからカメラ全体を倒すことで同様の効果を得ることができる。
【００４０】
また、光軸と撮像面の角度を変えた画像を２枚よりも多く取ることができれば、ゴースト検出精度が上がるため好ましい。
【００４１】
本発明の実施例のゴースト検出装置は第１の画像及び第２の画像Ｐ１及びＰ２の画素毎の輝度をｇ１（ｘ，ｙ）、ｇ２（ｘ，ｙ）とした時に、ｇ１（ｘ，ｙ）とｇ２（ｘ−Δｘ，ｙ−Δｙ）の差分からゴーストを検出している。なおここで、Δｘ、Δｙは前述の撮像面の移動量である。
【００４２】
これについてさらに説明する。前述のように画像Ｐ１及びＰ２において撮像面ゴーストの発生位置は異なり、式（ｂ）の関係から外れる。この場合、当然画像Ｐ１とＰ２の対応画素の輝度ｇ１（ｘ，ｙ）とｇ２（ｘ−Δｘ，ｙ−Δｙ）を比較すると、元々画像Ｐ１の画素に加算されていたゴースト像は別の位置に像を結び加算されなくなる。つまり、Ｐ２の対応画素の輝度ｇ２（ｘ−Δｘ、ｙ−Δｙ）はｇ１（ｘ，ｙ）とは異なった値となるためそれぞれの差分を取る相関演算を行うことでゴーストを検出することができる。
【００４３】
さらに、本発明の実施例のゴースト検出装置は前述の第１の画像と第の画像の対応画素の輝度ｇ１（ｘ，ｙ）とｇ２（ｘ−Δｘ、ｙ−Δｙ）について、以下の条件式を使ってゴーストを検出している。
【００４４】
０．０５＜｛ｇ１（ｘ，ｙ）−ｇ２（ｘ−Δｘ、ｙ−Δｙ）｝／ｇ１（ｘ，ｙ）・・・（１）
この式について説明する。条件式（２）は第１及び第２の画像Ｐ１及びＰ２の輝度変化を第１の画像の輝度で規格化したものである。条件式の下限を下回ると、輝度変化が少ないことを意味し、当該画素にはゴースト像が発生していないと判断することができる。また条件式の値が負の値となる場合、第２の画像Ｐ２の輝度が増したことを意味し、撮像面の傾き変化によって、元々発生していなかったゴーストが当該画素に発生したと検出することができる。このように、第１の画像及び第２の画像の対応画素の輝度変化が左辺に示す数値の割合よりも大きければゴースト像が発生していると検出することができる。更に好ましくは条件式（１）の数値範囲を次の如く設定するのが良い。
【００４５】
０．１０＜｛ｇ１（ｘ，ｙ）−ｇ２（ｘ−Δｘ、ｙ−Δｙ）｝／ｇ１（ｘ，ｙ）
・・・（１ａ）
更に好ましくは条件式（１ａ）の数値範囲を次の如く設定するのが良い。
【００４６】
０．３０＜｛ｇ１（ｘ，ｙ）−ｇ２（ｘ−Δｘ、ｙ−Δｙ）｝／ｇ１（ｘ，ｙ）
・・・（１ｂ）
本発明の実施例のゴースト検出装置は前述の方法によって検出したゴーストに対して以下の比較を行うことで検出精度をさらに高めている。前記画像Ｐ１においてゴーストを検出した画素Ｆ１の座標を（ｘｉ，ｙｉ）、輝度をｇ１（ｘｉ，ｙｉ）とする。また画素Ｆ１と光軸に対して略対称位置の画素Ｆ２の座標を（ｘｊ，ｙｊ）とする。さらに画素Ｆ２の輝度をｇ１（ｘｊ、ｙｊ）とする。なお、ここで座標Ｆ１とＦ２は以下の関係にあるものとする。
【００４７】
０．９０＜ｘｊ／ｙｊ×ｙｉ／ｘｉ＜１．１０・・・（ｃ）
ただし０＜｜ｘｊ｜＜｜ｘｍａｘ｜、ｘｍａｘは撮像面端部の座標であり、ｘｊはｘｉとは常に異符号を取るものとする。この時、以下の条件式（２）を満足する座標が０＜｜ｘｊ｜＜｜ｘｍａｘ｜の間になければ画像Ｐ１で検出したゴースト像を除外する。
【００４８】
−０．２＜｛ｇ１（ｘｊ，ｙｊ）−ｇ１（ｘｉ，ｙｉ）｝／ｇ１（ｘ，ｙ）・・・（２）
この条件式（２）について説明する。撮像面ゴーストは発生原因となる面が撮像面近傍の平板であり、通常ゴースト光源となる像も撮影光束内にあると考えられる。また、そのゴーストの発生経路を考えると、光源像と光軸に対して対称な位置にゴースト像が出ることが多い。さらに、通常の撮影光束は撮影光学系によって収斂してきた光束であるためその輝度は撮像面近傍では高くなっていると考えられる。このような観点から撮像面ゴーストが検出されれば、その発生位置と光軸に対して略対称な位置に強い輝度の光源像があると考えられる。ただし、その発生位置が十分に光軸に対して対称になるとは限らない。したがって、ゴースト像検出位置と光軸に対して対称な方向に強い輝度を持つ像がないかを前述の０＜｜ｘｊ｜＜｜ｘｍａｘ｜の範囲で網羅的に探索する必要がある。
【００４９】
条件式（２）はこの観点に基づく条件式である。条件式（２）の下限を下回ると、ゴースト像と光軸に対して対称な位置に強い輝度を持つ光源像がないことを意味するため、撮像面ゴーストが発生していない可能性がある。このようなものを検出したゴースト像から除くことでゴーストの検出精度を上げることができる。更に好ましくは条件式（２）の数値範囲を次の如く設定するのが良い。
【００５０】
０．０＜｛ｇ１（ｘｊ，ｙｊ）−ｇ１（ｘｉ，ｙｉ）｝／ｇ１（ｘ，ｙ）・・・（２ａ）
更に好ましくは条件式（２ａ）の数値範囲を次の如く設定するのが良い。
【００５１】
０．０＜｛ｇ１（ｘｊ，ｙｊ）−ｇ１（ｘｉ，ｙｉ）｝／ｇ１（ｘ，ｙ）・・・（２ｂ）
本発明の実施例のゴースト検出装置は前述の方法によって検出したゴーストに対してさらに以下の比較を行うことで検出精度をさらに高めている。前記画像Ｐ１においてゴーストを検出した座標Ｆ１に隣接した画素Ｆ３の座標を（ｘｋ，ｙｋ）及びその輝度をｇ１（ｘｋ，ｙｋ）とする。この時、以下の条件式（３）を満足する画素Ｆ３に対してはゴースト像が発生していると判断しゴースト検出範囲に加える
｜｛ｇ１（ｘｉ，ｙｉ）−ｇ１（ｘｋ，ｙｋ）｝｜／｛ｇ１（ｘｉ，ｙｉ）＜０．２０
・・・（３）
条件式（３）について説明する。通常ゴーストは撮影光束のように撮影光学系によって点に集まるように収斂させられた光束ではないため、点ではなくある程度の範囲をもって発生すると考えられる。したがって検出したゴースト像の周囲にゴースト像に近い輝度をもつ画素があればその位置にもゴースト像が発生していると考えることができる。条件式（３）はこのような観点に基づく条件式であり、条件式（２）の範囲内であれば隣接する画素同士の輝度差が小さいため当該画素でもゴースト像が発生していると判断することができる。
【００５２】
また、本発明のゴースト検出装置は撮像面を傾けて撮像面ゴーストの検出精度を高めている。この方法ではその性質上、ゴースト像の輪郭は少ない傾きでも精度良く検出できる。しかし、ゴースト像の出現範囲が広い場合、その輪郭の内部でゴーストが発生している部分については撮像面を大きく傾けてゴースト像の位置を大きく変えてやらなければ検出精度が低下してしまう。または撮像面を、複数方向に傾けて相互比較をする方法もある。
【００５３】
このような場合に条件式（３）の判別式を用いてゴースト像輪郭内部についても検出してやれば、少ない動きでゴースト像を精度良く検出することができるため好ましい。更に好ましくは条件式（３）の数値範囲を次の如く設定するのが良い。
【００５４】
｜｛ｇ１（ｘｉ，ｙｉ）−ｇ１（ｘｋ，ｙｋ）｝｜／｛ｇ１（ｘｉ，ｙｉ）＜０．１０
・・・（３ａ）
更に好ましくは条件式（３ａ）の数値範囲を次の如く設定するのが良い。
【００５５】
｜｛ｇ１（ｘｉ，ｙｉ）−ｇ１（ｘｋ，ｙｋ）｝｜／｛ｇ１（ｘｉ，ｙｉ）＜０．１０
・・・（３ｂ）
なお、本発明のゴースト検出装置はＲＧＢの色毎に輝度値を相互に比較すれば、より精度良くゴーストを検出することができて望ましい。
【００５６】
本発明のゴースト検出装置を有する撮像装置は前述の方法によって検出したゴーストを第１の画像Ｐ１から除去してゴースト除去画像Ｐ３を得ている。画像Ｐ１のゴースト像発生範囲の画素の輝度を、画像Ｐ２の対応画素の輝度に置き換えることで画像Ｐ３を得ることができる。
【００５７】
さらに画像Ｐ１のゴースト発生範囲の画素の輝度と隣接する画素の、画像Ｐ１からＰ２への変化を見てその差分は、撮影タイミングや撮像面を傾けたことによる変化として除いてやればさらに高精度に画像Ｐ３を得ることがえきる。
【実施例１】
【００５８】
以下、図３を参照して、本発明の第１の実施例による、ゴースト検出装置について説明する。
【００５９】
図３は本発明の第１の実施例によるゴースト検出フローを表したものである。
【００６０】
第１の実施例ではステップ１でまず第１の画像Ｐ１を取得する。その後ステップ２で撮影面を保持している保持部材を駆動させ撮像面と光軸の傾きを変化させ、ステップ３で画像Ｐ２を取得する。その後ステップ４で第１及び第２の画像Ｐ１及びＰ２の相関演算を行いゴーストを検出し、ステップ５でそのゴースト位置及び輝度情報を出力する。
【００６１】
また実施例１のゴースト検出装置は前述のステップ４及び５では図４にあるように第１及び第２の画像Ｐ１及びＰ２の相関演算及び出力を行っている。
【００６２】
まず図４（Ａ）のｆ１で示された画素の輝度と、（Ｂ）のｆ２で示された画素の輝度を比較する。ここでｆ１とｆ２の画素の座標は撮像面の傾き変化に伴う移動量の分だけずれた関係となっている。
【００６３】
ｆ１の輝度は１００でありｆ２の輝度は６０であるため、条件式（１）に相当する量は０．４であり、この画素ではゴーストが発生していると判断することができる。そこで図４（Ｃ）にあるようにゴースト像発生画素ｆｉの輝度としてｆ１及びｆ２の輝度差４０を入れてステップ５にあるようにゴースト情報を出力することができる。
【００６４】
また実施例１のゴースト検出装置では図５にあるように、ゴースト検出画素Ｆ１に対して光軸と略対称な位置にある画素Ｆ２の輝度を比較して、ゴースト像を判別する処理を行っている。本実施例１ではどの画素に対しても条件式（２）を上回っており、ゴースト像ではないと判別することができる。
【００６５】
このようにステップ１〜５の操作を行うことで実施例１では精度良くゴーストを検出しゴースト情報として出力することができる。
【実施例２】
【００６６】
以下、図６を参照して、本発明の第２の実施例による、ゴースト検出装置を有する撮像装置について説明する。
【００６７】
図６は本発明の第２の実施例によるゴースト検出フローを表したものである。
【００６８】
第２の実施例ではステップ１でまず第１の画像Ｐ１を取得する。その後ステップ２で撮影面を保持している保持部材を駆動させ撮像面と光軸の傾きを変化させ、ステップ３で画像Ｐ２を取得する。その後ステップ４で第１及び第２の画像Ｐ１及びＰ２の相関演算を行いゴーストを検出し、ステップ５でそのゴーストを除去したゴースト除去画像を出力する。
【００６９】
また実施例２のゴースト検出装置を有する撮像装置では前述のステップ４及び５では図７にあるように第１及び第２の画像Ｐ１及びＰ２の相関演算及び出力を行っている。
【００７０】
まず図７（Ａ）のｆ１で示された画素の輝度と、（Ｂ）のｆ２で示された画素の輝度を比較する。ここでｆ１とｆ２の画素の座標は撮像面の傾き変化に伴う移動量の分だけずれた関係となっている。
【００７１】
ｆ１の輝度は１００でありｆ２の輝度は８５であるため、条件式（１）に相当する量は０．１５であり、この画素ではゴーストが発生していると判断することができる。そこで図７（Ｃ）にあるようにゴースト像発生画素ｆｒの輝度としてｆ１及びｆ２の輝度差１５から、ｆ１及びｆ２に隣接する画素の輝度差２を引いた１３を第一の画像から引いた８７を入れてステップ５にあるようにゴースト除去画像を出力することができる。
【００７２】
また実施例２のゴースト検出装置を有する撮像装置では図８にあるように、ゴースト検出画素Ｆ１に対して隣接する画素Ｆ３の輝度を比較して、ゴースト像を判別する処理を行っている。本実施例２では右隣に隣接している画素に対しても条件式（３）を満たしており、Ｆ３にもゴースト像が発生していると判別することができる。
【００７３】
このようにステップ１〜５の操作を行うことで実施例２では精度良くゴーストを検出しゴースト除去画像として出力することができる。
【００７４】
図９は一眼レフカメラの要部概略図である。図９において、１０は撮影光学系である。撮影光学系１は保持部材である鏡筒２に保持されている。２０はカメラ本体である。カメラ本体２０はクイックリターンミラー３、焦点板４、ペンタダハプリズム５、接眼レンズ６等によって構成されている。７はカメラの撮像面であり、７を傾ける機構を配置することにより本発明のゴースト検出装置を得ることができる。
【００７５】
以上、本発明の好ましい実施形態について説明したが、本発明はこれらの実施形態に限定されず、その要旨の範囲内で種々の変形及び変更が可能である。
【符号の説明】
【００７６】
ＯＡ  光軸、ＯＬ  撮影光学系、ＩＰ  撮像面、ＩＰｏ  撮像面中心（原点）、
Ｈ  撮像面保持部材、ＭＯ  駆動装置
【図１】
2018196068.tif 000003
【図２】
2018196068.tif 000004
【図３】
2018196068.tif 000005
【図４】
2018196068.tif 000006
【図５】
2018196068.tif 000007
【図６】
2018196068.tif 000008
【図７】
2018196068.tif 000009
【図８】
2018196068.tif 000010
【図９】
2018196068.tif 000011